(57)【要約】【課題】表面パネルの傾斜及び浮上が発生し難い床埋込体重計を提供する。【解決手段】床パネル１１に形成された凹部１２内に複数のクッション１３を介して装着された床見切り枠１４内に配置された取付枠１５上に複数の固定部材１６を介して体重計１７が設置されている。体重計１７上面に、体重計１７よりも面積が大きい表面パネル１８が載置され、表面パネル１８上面に複数の面ファスナー１９を介して仕上げ材２０が装着されている。表面パネル１８の周縁部に付加される荷重による表面パネル１８の傾斜及び浮上を阻止する規制手段として、直角に折曲した係止部２１ａを有する上部係止部材２１ｘ，２１ｙが表面パネル１８下面の周縁部寄りの領域に垂下状に設けられ、上部係止部材２１ｘ，２１ｙの各係止部２１ａと係合するように直角に折曲した係止部２５ｂを有する下部係止部材１５ａが、取付枠１５の外周部分に一体的に設けられている。【選択図】図２
2008076189.tif 000002
【特許請求の範囲】
【請求項１】
床面に形成された凹部に埋設された体重計と、前記体重計の上部に載置されるとともに前記凹部を覆う表面パネルとを備えた床埋込体重計において、前記表面パネルの周縁部に付加される荷重による前記表面パネルの傾斜、及び前記表面パネルの浮上を阻止する規制手段を設けたことを特徴とする床埋込体重計。
【請求項２】
前記規制手段として、直角又は鋭角に折曲した係止部を有する上部係止部材を前記表面パネルの下面の周縁部寄りの領域に垂下状に設け、前記上部係止部材の係止部と係合するように直角又は鋭角に折曲した係止部を有する下部係止部材を前記凹部に設けたことを特徴とする請求項１記載の床埋込体重計。
【請求項３】
前記規制手段として、前記表面パネルの周縁部寄りの領域に設けられた貫通孔又は切欠を貫通して前記表面パネルの上面側において直角又は鋭角に折曲した係止部を有する下部係止部材を前記凹部に設けたことを特徴とする請求項１記載の床埋込体重計。
【請求項４】
前記規制手段として、前記表面パネルの周縁部寄りの領域に設けられた貫通孔又は切欠を通過して前記凹部に螺着されるとともに前記貫通孔を通過不能な頭部を有する雄ネジを設けたことを特徴とする請求項１記載の床埋込体重計。
【発明の詳細な説明】
【技術分野】
【０００１】
本発明は、一般住宅の洗面所や化粧室などの床面に配備される床埋込方式の体重計に関する。
【背景技術】
【０００２】
一般家庭などにおいて使用される体重計としては、従来、ヘルスメーターなどと呼称され、床面上に載置して使用する方式の体重計が主流である。しかしながら、従来の体重計は、常に床面上に置かれた状態にあるため、歩行中に躓いたり、蹴飛ばしたりすることがあり、特に不使用時は邪魔になる存在である。そこで、このような問題を解消するため、床面に形成された凹部に埋設する方式の体重計が提案されている（例えば、特許文献１参照。）。
【０００３】
特許文献１記載の体重計は、図１１に示すように、床の一部に設けられた凹部９０に受け具９１を設置し、この受け具９１上に体重計９２を設置し、凹部９０及び体重計９２の上部を表面パネル９３で覆った構造である。表面パネル９３は体重計９２で支持されているため、使用者は、表面パネル９３上に両足を載せて立つことにより、体重を測定することができる。
【０００４】
【特許文献１】特開２００５−２８３４９８号公報
【発明の開示】
【発明が解決しようとする課題】
【０００５】
特許文献１記載の体重計を構成する表面パネル９３は、少なくとも使用者の両足が余裕をもって載置可能な程度の広さを必要とするため、比較的大型の部材である。一方、表面パネル９３の下方に配置される体重計９２は、表面パネル９３に比べると小型の部材である。このため、図１０に示すように、表面パネル９３の周縁寄りの部分には、体重計９２によって支持されていない不支持領域９３ａが存在している。
【０００６】
従って、表面パネル９３が存在する床面付近を居住者が歩行する際に、これらの不支持領域９３ａに足が載ると、足が載った不支持領域９３ａが沈下し、それとは反対側の不支持領域９３ａが浮き上がって、表面パネル９３が大きく傾いたり、ガタついたりすることがあるため、歩行の妨げとなることがある。
【０００７】
本発明が解決しようとする課題は、表面パネルの傾斜及び浮上が発生し難い床埋込体重計を提供することにある。
【課題を解決するための手段】
【０００８】
本発明の床埋込体重計は、床面に形成された凹部に埋設された体重計と、前記体重計の上部に載置されるとともに前記凹部を覆う表面パネルとを備えた床埋込体重計において、前記表面パネルの周縁部に付加される荷重による前記表面パネルの傾斜、及び前記表面パネルの浮上を阻止する規制手段を設けたことを特徴とする。
【０００９】
このような構成とすれば、表面パネルの周縁部の一部に足が載ることがあっても、規制手段により、表面パネルの傾斜が阻止されるため、当該表面パネルの部分的な浮沈を防止することができる。また、前記規制手段により、表面パネルの浮上も阻止されるので、表面パネルが凹部から外れにくくなる。
【００１０】
ここで、前記規制手段として、直角又は鋭角に折曲した係止部を有する上部係止部材を前記表面パネルの下面の周縁部寄りの領域に垂下状に設け、前記上部係止部材の係止部と係合するように直角又は鋭角に折曲した係止部を有する下部係止部材を前記凹部に設けることができる。
【００１１】
このような構成とすれば、直角又は鋭角に折曲した係止部を有する上部係止部材及び下部係止部材という比較的簡素な部材により確実な浮沈防止作用を得ることができる。
【００１２】
一方、前記規制手段として、前記表面パネルの周縁部寄りの領域に設けられた貫通孔又は切欠を貫通して前記表面パネルの上面側において直角又は鋭角に折曲した係止部を有する下部係止部材を前記凹部に設けることもできる。
【００１３】
このような構成とすれば、直角又は鋭角に折曲した係止部を有する下部係止部材と貫通孔又は切欠との組み合わせにより、浮沈防止機構を形成することができるため、構造の簡素化を図ることができる。
【００１４】
また、前記規制手段として、前記表面パネルの周縁部寄りの領域に設けられた貫通孔又は切欠を通過して前記凹部に螺着されるとともに、前記貫通孔又は切欠を通過不能な頭部を有する雄ネジを設けることもできる。
【００１５】
このような構成とすれば、表面パネルの上面から貫通孔に挿入した雄ネジを凹部に螺着することによって表面パネルの浮沈防止機構を形成することができる。このため、表面パネルの浮沈防止機構を当該表面パネルの上面側から構築することが可能となり、施工作業性の向上を図ることができる。
【発明の効果】
【００１６】
本発明により、表面パネルの傾斜及び浮上が発生し難い床埋込体重計を提供することができる。
【発明を実施するための最良の形態】
【００１７】
以下、図面に基づいて、本発明の実施の形態について説明する。図１は本発明の第１実施形態である床埋込体重計を示す斜視図、図２は図１に示す床埋込体重計の垂直断面図、図３は図２に示す床埋込体重計を仕上げ材を省略した状態で示す平面図である。
【００１８】
図１に示すように、化粧室６０においては、複数の側壁６１，６２，６３で区画された領域内に、大便器６４、体脂肪計１、床埋込体重計１０及び血圧計６６などが設けられている。化粧室６０を構成する第一の側壁６１に大便器６４が設けられ、この側壁６１と交差する第二の側壁６２に、水栓４５ａ付きの手洗いボウル４５及び鏡５１を備えた手洗い器５０が配置されている。そして、体脂肪計１、床埋込体重計１０及び血圧計６６による計測結果を有線又は無線で受信して表示する表示ユニット４が手洗いボウル４５と鏡５１との間に配置されている。また、人体のインピーダンスを計測する電極を有する一対のセンサユニット５ａ，５ｂが表示ユニット４の左右側部に配置されている。
【００１９】
図２，図３に示すように、本実施形態の床埋込体重計１０は、床面を構成する床パネル１１に形成された凹部１２内に複数のクッション１３を介して床見切り枠１４が装着され、この床見切り枠１４内に配置された取付枠１５上に複数の固定部材１６を介してデジタル式の体重計１７が設置されている。体重計１７の上面には、体重計１７よりも面積が大きい表面パネル１８が載置され、この表面パネル１８の上面に、複数の面ファスナー１９を介して仕上げ材２０が装着されている。そして、表面パネル１８の体重計１７と重合しない周縁部が、前述したように、支えのない不支持領域となっている。
【００２０】
表面パネル１８の周縁部の下面には、直角に折曲した係止部２１ａを有する長尺の上部係止部材２１ｘ，２１ｙが２本、垂下状に設けられている。また、凹部１２内の取付枠１５の外周部分には、上部係止部材２１ｘ，２１ｙの各係止部２１ａに対応させて、先端が直角に折曲した係止部１５ｂとなった長尺の下部係止部材１５ａが設けられている。本実施形態では、複数の下部係止部材１５ａは取付枠１５と一体的に形成されている。なお、上部係止部材２１ｘ，２１ｙと下部係止部材１５ａとは、同じ長さとしておくのが好ましい。
【００２１】
複数の上部係止部材２１ｘ，２１ｙは、表面パネル１８の上面からそれぞれ貫通孔１８ａ，１８ｂに挿入した固定ネジ２２により表面パネル１８の下面に着脱可能に固定されている。この場合、図２の左側に位置する方の貫通孔１８ａは、固定ネジ２２が矢線Ｒ方向に移動できるような長孔となっているため、上部係止部材２１ｘの固定ネジ２２を緩めれば、上部係止部材２１ｘは矢線Ｒ方向に移動可能である。
【００２２】
図２に示すように、上部係止部材２１ｘ，２１ｙの各係止部２１ａと下部係止部材１５ａの係止部１５ｂとは、小さな隙間をおいて互いに対向した状態にあるため、表面パネル１８の浮上に伴って上部係止部材２１ｘ，２１ｙが上昇すると、それぞれの係止部２１ａが係止部１５ｂに当接して、上昇が阻止される。表面パネル１８の周縁部のうち、一方の上部係止部材２１ｘが設けられた側に人が載るなどして荷重が付加されると、その対面側の表面パネル１８の周縁部が浮上して表面パネル１８自体が傾斜しようとするが、上部係止部材２１ｙの係止部２１ａが下部係止部材１５ａの係止部１５ｂに係合し、荷重が付加されていない周縁部の浮上を阻止する。即ち、これらの上部係止部材２１ｘ，２１ｙと下部係止部材１５ａとによって、表面パネル１８の傾斜を阻止する規制手段が構成されている。
【００２３】
このように、本実施形態の床埋込体重計１０の場合、直角に折曲した係止部１５ｂ，２１ａをそれぞれ有する上部係止部材２１ｘ，２１ｙ及び下部係止部材１５ａという比較的簡素な部材により確実な傾斜防止作用を得ることができる。また、歩行者の足が表面パネル１８直上の仕上げ材２０の周縁部に載ることがあっても、当該表面パネル１８が傾いたり、ガタついたりしないので、歩行を妨げることもない。さらに、図２中の左側に位置する上部係止部材２１ｘの固定ネジ２２を緩めれば、上部係止部材２１ｘは矢線Ｒ方向に移動可能となるため、体重計１７上面に対する表面パネル１８の着脱作業も容易である。
【００２４】
また、表面パネル１８の傾斜を阻止する前記規制手段は、表面パネル１８の浮上を防ぐ機能も有している。即ち、表面パネル１８が浮上しようとすると、上部係止部材２１ｘ，２１ｙの各係止部２１ａと下部係止部材１５ａの係止部１５ｂとが係合するので、規制手段は表面パネル１８の浮上を防ぐことができる。表面パネル１８が浮上すると凹部１２から外れるおそれがあるが、表面パネル１８の浮上を阻止することにより、凹部１２から表面パネル１８が外れないようにすることができる。
【００２５】
なお、表面パネル１８の周縁部のうち、上部係止部材２１ｘ，２１ｙを設置していない領域に使用者が載った場合も、表面パネル１８の傾斜を阻止することができる。即ち、使用者が載った部分と反対側の周縁部において、上部係止部材２１ｘ，２１ｙと下部係止部材１５ａとが係合して当該周縁部の浮上が防止されるため、表面パネル１８の傾斜が阻止される。なお、体重計１７を点検する場合などは、図２中の左側に位置する上部係止部材２１ｘの固定ネジ２２を緩めて上部係止部材２１ｘを同図中の左側へ移動させ、上部係止部材２１ｘの係止部２１ａと下部係止部材１５ａの係止部１５ｂとの係合を解除すれば、表面パネル１８を持ち上げることができる。
【００２６】
次に、図４に基づいて、本発明の第２実施形態について説明する。図４は本発明の第２実施形態である床埋込体重計を示す垂直断面図である。なお、図４において図１〜図３に示す符号と同じ符号を付した部分は床埋込体重計１０の構成部分を同じ構造、機能を有する部分であり、説明を省略する。
【００２７】
図４に示すように、床埋込体重計３０においては、床パネル１１に形成された凹部１２内の底面に平板状の取付枠２５が取り付けられ、その上から床見切り枠２４が装着され、取付枠２５上に複数の固定部材２６を介してデジタル式の体重計２７が設置されている。そして、体重計２７の上面には、体重計２７よりも面積が大きい表面パネル１８が載置され、この表面パネル１８の上面に、複数の面ファスナー１９を介して仕上げ材２０が装着されている。表面パネル１８の周縁部の体重計２７と重合しない領域は、支えのない不支持領域となっている。
【００２８】
また、表面パネル１８の周縁部に付加される荷重による表面パネル１８の傾斜及び浮上を阻止する規制手段として、直角に折曲した係止部３１ａを有する上部係止部材３１が表面パネル１８の下面の周縁部寄りの領域に垂下状に設けられ、上部係止部材３１の係止部３１ａと係合するように直角に折曲した係止部３２ａを有する下部係止部材３２が凹部１２内に位置する取付枠２５の周縁部寄りの部分に立設されている。
【００２９】
上部係止部材３１の係止部３１ａと下部係止部材３２の係止部３２ａとは小さな隙間をおいて互いに対向した状態にあるため、表面パネル１８の浮上に伴って上部係止部材３１が上昇すると、係止部３１ａが係止部３２ａに当接して、上昇が阻止される。従って、表面パネル１８の直上の仕上げ材２０の周縁部の一部に歩行者の足が載ることがあっても、当該表面パネル１８の反対側の部分が浮上することがなくなり、表面パネル１８の傾斜を防止することができる。なお、この実施形態においては、表面パネル１８の一部に点検用の開口部（図示せず）を設け、その開口部から上部係止部材３１と下部係止部材３２との係合を解除可能としておくのが望ましい。
【００３０】
次に、図５，図６に基づいて、係止部材に関するその他の実施形態について説明する。図５は係止部材に関するその他の実施形態を示す垂直断面図、図６は図５に示す係止部材の係合過程を示す垂直断面図である。
【００３１】
図５に示すように、上部係止部材３５及び下部係止部材３６はそれぞれ鋭角に折曲した係止部３５ａ，３６ａを有しているため、上部係止部材３５が上昇すると、係止部３５ａが下部係止部材３６の係止部３６ａに当接して、上昇が阻止される。このため、前述した実施形態の場合と同様の効果を得ることができる。
【００３２】
一方、上部係止部材３５及び下部係止部材３６を弾性材料で形成すれば、それぞれ弾性変形可能となる。従って、図６（ａ）に示すように、互いに離れた状態にある上部係止部材３５と下部係止部材３６とを係合させる場合、図６（ｂ）に示すように、係止部３５ａを係止部３６ａに接触させ、そのまま下部係止部材３６に向かって押圧すれば、係止部３５ａが係止部３６ａに沿ってスライドしながら、上部係止部材３５及び下部係止部材３６は一旦離れる方向に弾性変形していく。そして、係止部３５ａの先端が係止部３６ａの先端を通過した瞬間、上部係止部材３５及び下部係止部材３６は元の形状に戻り、図５に示す係合状態となる。このため、上部係止部材３５と下部係止部材３６との係合作業は極めて容易である。
【００３３】
次に、図７〜図１０に基づいて、本発明の第３，４実施形態について説明する。図７は本発明の第３実施形態である床埋込体重計を示す一部省略平面図、図８は図７に示す床埋込体重計の垂直断面図、図９は本発明の第４実施形態である床埋込体重計を示す一部省略平面図、図１０は図９に示す床埋込体重計の垂直断面図である。なお、図７〜図１０において図１〜図３に示す符号と同じ符号を付した部分は床埋込体重計１０の構成部分と同じ構造、機能を有する部分であり、説明を省略する。
【００３４】
図７，図８に示すように、床埋込体重計４０は、床面に形成された凹部１２に埋設されたデジタル式の体重計１７と、体重計１７の上部に載置されるとともに凹部１２を覆う表面パネル４８とを備え、表面パネル４８の周縁部に付加される荷重による当該表面パネル４８の傾斜及び浮上を阻止する規制手段として、表面パネル４８の周縁部寄りの領域に長円形をした複数の貫通孔４８ｘを設け、それぞれの貫通孔４８ｘを貫通して表面パネル４８の上面側において直角に折曲した係止部４１ａを有する下部係止部材４１を凹部１２の底面に立設している。なお、この第３実施形態においては、貫通孔４８ｘは、表面パネル４８の周縁に形成した切欠で代用することができる。
【００３５】
床埋込体重計４０の場合、直角に折曲した係止部４１ａを有する下部係止部材４１と貫通孔４８ｘとの組み合わせにより、傾斜阻止機構を形成することができるため、構造の簡素化を図ることができる。また、図８に示すように、それぞれの貫通孔４８ｘは表面パネル４８の周縁部（四隅部分）に設けられた凹面部４８ｙに開設されているため、表面パネル４８が沈下しても、下部係止部材４１の係止部４１ａが表面パネル４８の上面から突出することはない。なお、表面パネル４８を取り外す際には、下部係止部材４１を９０度回転させて貫通孔４８ｘと位置合わせすればよい。
【００３６】
図９，図１０に示すように、床埋込体重計７０は、床面に形成された凹部１２に埋設されたデジタル式の体重計１７と、体重計１７の上部に載置されるとともに凹部１２を覆う表面パネル７８とを備え、表面パネル７８の周縁部に付加される荷重による当該表面パネル７８の傾斜及び浮上を阻止する規制手段として、表面パネル７８の周縁部寄りの領域に設けられた複数の貫通孔７８ｘと、それぞれの貫通孔７８ｘを通過して凹部１２に螺着されるとともに貫通孔７８ｘを通過不能な頭部７１ａを有する雄ネジ７１を設けている。雄ネジ７１の先端部は、凹部１２の底面に固着されたナット７２に螺着されている。なお、この第４実施形態においても、貫通孔７８ｘは、表面パネル４８の周縁に形成した切欠で代用することができる。
【００３７】
床埋込体重計７０の場合、表面パネル７８の上面から貫通孔７８ｘに挿入した雄ネジ７１を凹部１２内のナット７２に螺着することによって表面パネル７８の傾斜防止機構を形成することができる。このため、表面パネル７８の傾斜阻止機構を当該表面パネル７８の上面側から構築することが可能であり、施工作業性が良好である。また、図９，図１０に示すように、それぞれの貫通孔７８ｘは表面パネル７８の周縁部（四隅部分）に設けられた凹面部７８ｙに開設されている。このため、表面パネル７８が沈下しても、雄ネジ７１の頭部７１ａが表面パネル７８の上面から突出することはない。
【産業上の利用可能性】
【００３８】
本発明の床埋込体重計は、一般住宅の洗面所や化粧室などの床面に設置して広く利用することができる。
【図面の簡単な説明】
【００３９】
【図１】本発明の第１実施形態である床埋込体重計を示す斜視図である。
【図２】図１に示す床埋込体重計の垂直断面図である。
【図３】図２に示す床埋込体重計を仕上げ材を省略した状態で示す平面図である。
【図４】本発明の第２実施形態である床埋込体重計を示す垂直断面図である。
【図５】係止部材に関するその他の実施形態を示す垂直断面図である。
【図６】図５に示す係止部材の係合過程を示す垂直断面図である。
【図７】本発明の第３実施形態である床埋込体重計を示す一部省略平面図である。
【図８】図７に示す床埋込体重計の垂直断面図である。
【図９】本発明の第４実施形態である床埋込体重計を示す一部省略平面図である。
【図１０】図９に示す床埋込体重計の垂直断面図である。
【図１１】従来の床埋込体重計を示す垂直断面図である。
【符号の説明】
【００４０】
１  体脂肪計
４  表示ユニット
５ａ，５ｂ  センサユニット
１０，３０，４０，７０  床埋込体重計
１１  床パネル
１２  凹部
１３  クッション
１４，２４  床見切り枠
１５，２５  取付枠
１５ａ，３２，３６，４１  下部係止部材
１６，２６  固定部材
１７，２７  体重計
１８，４８，７８  表面パネル
１８ａ，１８ｂ，４８ｘ，７８ｘ  貫通孔
１９  面ファスナー
２０  仕上げ材
２１ｘ，２１ｙ，３１，３５  上部係止部材
１５ｂ，２１ａ，３１ａ，３２ａ，３５ａ，３６ａ，４１ａ  係止部
２２  固定ネジ
４５  手洗いボウル
４５ａ  水栓
５０  手洗い器
５１  鏡
６０  化粧室
６１，６２，６３  側壁
６４  大便器
６６  血圧計
【図１】
2008076189.tif 000003
【図２】
2008076189.tif 000004
【図３】
2008076189.tif 000005
【図４】
2008076189.tif 000006
【図５】
2008076189.tif 000007
【図６】
2008076189.tif 000008
【図７】
2008076189.tif 000009
【図８】
2008076189.tif 000010
【図９】
2008076189.tif 000011
【図１０】
2008076189.tif 000012
【図１１】
2008076189.tif 000013